(57)【要約】【課題】      安全で環境への影響の少ない成分からなる固体触媒を用いて、温和な条件でアルコールの酸化反応を行うことにより、アルデヒド又はケトンを高選択的に製造する方法を提供すること。【解決手段】  アルコールを酸化してアルデヒド又はケトンを製造するにあたり、下記一般式（１）  Ｒｕa Ｃｕb Ｆｅ2-a-b Ａｌ1.5 Ｏc     （１）（式中、ａ及びｂは０．０２〜０．８の数、ｃは正電荷を補償する任意の値である。）で表される複合酸化物を触媒として、分子状酸素の存在下でアルコールの酸化反応を行うアルデヒド又はケトンの製造方法である。【選択図】    なし【特許請求の範囲】
【請求項１】
下記組成式（１）
Ｒｕa Ｃｕb Ｆｅ2-a-b Ａｌ1.5 Ｏc     （１）
（式中、ａ及びｂは０．０２〜０．８の数、ｃは正電荷を補償する任意の値である。）
で表される複合酸化物からなるアルコール酸化用触媒。
【請求項２】
アルコールを酸化してアルデヒド又はケトンを製造するにあたり、下記組成式（１）
Ｒｕa Ｃｕb Ｆｅ2-a-b Ａｌ1.5 Ｏc     （１）
（式中、ａ及びｂは０．０２〜０．８の数、ｃは正電荷を補償する任意の値である。）
で表される複合酸化物を触媒として、分子状酸素の存在下でアルコールの酸化反応を行うことを特徴とするアルデヒド又はケトンの製造方法。
【請求項３】
アルコールが、一級アルコール又は二級アルコールである請求項２に記載の製造方法。
【請求項４】
アルコールが、脂環式構造を有するものである請求項２又は３に記載の製造方法。
【請求項５】
脂環式構造が、アダマンタン骨格を持つ構造である請求項４に記載の製造方法。
【発明の詳細な説明】
【技術分野】
【０００１】
本発明は、アルコールの酸化に用いる触媒、及びこの触媒を用いたアルコールの酸化反応により、アルデヒド又はケトンを高選択的に製造する方法に関する。
【背景技術】
【０００２】
種々の炭化水素骨格を有するアルデヒドやケトンは、各種化学品や医薬原料として工業的に重要である。アルコールを酸化してアルデヒド又はケトンに誘導する方法としては、従来より、二酸化マンガン、クロム酸、二酸化セレンを酸化剤として用いる方法が知られている（例えば、非特許文献１参照）。しかしながら、これらの方法は酸化剤が多量に必要である上に、マンガン、クロム、セレン等の処理が必要であるため、環境上、経済上不利である。また、ＲｕＯ4 、ＲｕＣｌ2 （ＰＰｈ3 ）3 等のルテニウム化合物を酸化剤や触媒として使用した例も報告されているが、ＮａＩＯ4 を始めとするハロゲン化合物等の共酸化剤を必要とし、また、酸化剤や触媒が均一液相となるため、Ｒｕの回収分離が困難であるなどの問題があった（例えば、非特許文献１参照）。
これに対し、近年、ルテニウムを活性成分とする固体触媒が開発されている。例えば、Ｒｕ−Ａｌ−Ｍｇ系合成ハイドロタルサイトを用いたアルコールの酸化方法が開示されている（例えば、特許文献１参照）。ハイドロタルサイトは、天然にも存在する層状化合物であり、Ｒｕを固定化することで固体触媒として使用できることが示されている。しかしながら、この触媒が適用されるアルコールは比較的酸化されやすいα，β−不飽和アルコールに限られている。
また、Ｃｏ、Ｍｎ、Ｆｅ及びＺｎから選ばれる少なくとも一種の金属と、Ｒｕ又はＡｌから選ばれる少なくとも一種の金属を含有する合成ハイドロタルサイトを触媒として用いたアルコールの酸化方法が開示されている（例えば、特許文献２参照）。この触媒が適用されるのは主としてα，β−不飽和アルコールであるが、飽和の二級アルコールの酸化も可能であることが示されている。この触媒は、Ｒｕ−Ａｌ−Ｍｇ系ハイドロタルサイトと比較して活性が向上しているが、Ｃｏ、Ｍｎ等の重金属を含み、また、飽和一級アルコールはカルボン酸にまで酸化されてしまうのでアルデヒドが得られないという問題がある。
さらに、Ｃｏ、Ｍｎ、Ｆｅ及びＺｎから選ばれる少なくとも一種の金属と、Ｒｕ又はＡｌから選ばれる少なくとも一種の金属を含有する合成ハイドロタルサイトに、さらにＲｕ金属を固定化した触媒を用いたアルコールの酸化方法が開示されている（例えば、特許文献３参照）。この触媒は、特許文献２に記載のハイドロタルサイトに、さらにＲｕ塩の溶液を混合し、乾燥させて調製したものであるが、やはりα，β−不飽和アルコールが主な基質として用いられている。
さらにまた、遷移金属（Ｒｕ）をリン酸配位子（ヒドロキシアパタイト）に固定化した固体触媒を用いたアルコールの酸化方法が開示されている（例えば、特許文献４参照）。この触媒は、α，β−不飽和アルコールだけでなく、飽和の一級及び二級アルコールにも適用でき、それぞれアルデヒド及びケトンに誘導できることが示されているが、触媒活性がやや低い。また、フェライトスピネル（ＭｎＦｅ2 Ｏ3 ）のＦｅの一部をＲｕ及びＣｕで置換した触媒を用いたアルコールの酸化方法が報告されているが（例えば、非特許文献２参照）、Ｍｎ酸化物は、中枢神経系、呼吸器系の障害リスクがあることが報告されており（例えば、非特許文献３参照）、より安全で環境への影響の少ない成分からなる触媒が望まれる。一方、塩化ルテニウムをアルミナ上に含浸担持し、これをアルカリで処理して得られた触媒を用いたアルコールの酸化方法が報告されている（例えば、非特許文献４参照）。しかしながら、このような含浸による触媒調製方法では、活性成分であるルテニウムが反応溶媒中に溶出するおそれがある。
【０００３】
【特許文献１】特開２０００−７０７２３号公報
【特許文献２】特開２０００−８６２４５号公報
【特許文献３】特開２００２−２７４８５２号公報
【特許文献４】特開２００１−２４６２６２号公報
【非特許文献１】実験化学講座第４版、２３巻、日本化学会編、丸善、１９９１年、ｐ２１、３８、４７８、１１３−１３７
【非特許文献２】Ｈ−Ｂ．Ｊｉ，Ｋ．Ｅｂｉｔａｎｉ，Ｔ．Ｍｉｚｕｇａｋｉ，Ｋ．Ｋａｎｅｄａ著「Ｃａｔａｌ．Ｃｏｍｍｕｎ．，Ｖｏｌ．３」２００２年、ｐ５１１
【非特許文献３】化学物質安全性（ハザード）評価シート（整理番号２００１−６０）、（財）化学物質評価研究機構、２００２年
【非特許文献４】山口和也、水野哲孝著「触媒、Ｖｏｌ．４５」２００３年、ｐ１５７
【発明の開示】
【発明が解決しようとする課題】
【０００４】
本発明は、上記事情に鑑みなされたもので、アルコールを酸化してアルデヒド又はケトンを製造するにあたり、安全で環境への影響の少ない成分からなる固体触媒を用いて、温和な条件でアルコールの酸化反応を行うことにより、目的物であるアルデヒド又はケトンを高選択的に製造する方法を提供することを目的とするものである。
【課題を解決するための手段】
【０００５】
本発明者らは、上記従来技術の問題点を解決し、アルデヒド又はケトンを高選択的に効率よく安全に製造するため、鋭意研究を進めた結果、ルテニウムを含み、かつ一定組成の銅、鉄、アルミニウムからなる複合酸化物を触媒として用いることにより、温和な条件でアルコールの酸化を行うことができ、目的物であるアルデヒド又はケトンを高選択的に製造することができることを見出した。本発明はかかる知見に基づいて完成したものである。
すなわち、本発明は、下記組成式（１）
Ｒｕa Ｃｕb Ｆｅ2-a-b Ａｌ1.5 Ｏc     （１）
（式中、ａ及びｂは０．０２〜０．８の数、ｃは正電荷を補償する任意の値である。）
で表される複合酸化物からなるアルコール酸化用触媒を提供するものである。
また、本発明は、アルコールを酸化してアルデヒド又はケトンを製造するにあたり、下記組成式（１）
Ｒｕa Ｃｕb Ｆｅ2-a-b Ａｌ1.5 Ｏc     （１）
（式中、ａ、ｂ及びｃは上記と同様である。）
で表される複合酸化物を触媒として、分子状酸素の存在下でアルコールの酸化反応を行うことを特徴とするアルデヒド又はケトンの製造方法を提供するものである。
【発明の効果】
【０００６】
本発明のアルコール酸化用触媒は、安全で環境への影響の少ない成分からなる固体触媒である。この触媒を用いると、温和な条件でアルコールの酸化反応を行うことができ、目的物であるアルデヒド又はケトンを高選択的に製造することができる。
【発明を実施するための最良の形態】
【０００７】
本発明のアルコール酸化用触媒は、下記組成式（１）
Ｒｕa Ｃｕb Ｆｅ2-a-b Ａｌ1.5 Ｏc     （１）
（式中、ａ及びｂは０．０２〜０．８の数、ｃは正電荷を補償する任意の値である。）
で表される、ルテニウムを含み、かつ一定組成の銅、鉄、アルミニウムからなる複合酸化物である。
上記組成式（１）において、Ｒｕの組成比が０．０２よりも少ない場合、触媒活性が非常に低くなる。また、０．８よりも多い場合は、有効に使われるＲｕが減少するため、Ｒｕ比を０．８より多くしても触媒活性がより向上するものでもない。また、Ｃｕの組成比が０．０２よりも少ない場合も触媒活性が低い。Ｃｕ量の増加とともに触媒活性は増大するが、Ｃｕの組成比を０．８より多くするとＣｕの分散性が悪くなるため、触媒活性が低下する。ａは好ましくは０．２〜０．６であり、ｂは好ましくは０．０５〜０．３である。
ＦｅとＡｌは、触媒の物理的構造を維持するために必要であり、Ｆｅ及びＡｌを含まない複合酸化物であると、活性成分であるＲｕが反応溶媒中に溶出したり、触媒の表面積が低下するため、触媒活性が著しく低くなる。また、Ａｌの組成比は、これらの複合酸化物を形成するために１．５であることを要する。ｃは正電荷を補償する任意の値であり、ＩＣＰ発光分光分析等の組成分析によって決定される値である。
【０００８】
上記組成式（１）で表される複合酸化物は種々の方法で容易に調製することができる。例えば、脂肪酸エステルを水素化することにより、アルコールを製造するための触媒である銅−鉄−アルミニウム触媒を調製する方法（特公昭５８−５０７７５号公報）により調製することができる。この方法は、各金属の混合水溶液を加熱した後に、アルカリを加えて生成した沈殿を濾過し、回収し、焼成することにより、目的組成の複合酸化物を合成する方法である。このときの仕込みの銅、鉄、アルミニウム化合物の比を、上記組成式（１）に示す組成比となるように調節し、かつ混合水溶液中にルテニウム化合物を同様に仕込むことによって本発明の触媒を調製することができる。
また、「Ｃａｔａｌ．Ｃｏｍｍｕｎ．，Ｖｏｌ．３、２００２年」に記載されている調製方法、すなわち、アルカリ水溶液中に、上記組成式（１）に示す組成に調節した金属塩の混合水溶液を滴下して加熱し、生成した沈殿を濾過し、回収し、焼成することによっても調製することができる。具体的には、以下のようにして調製することができる。すなわち、鉄化合物、銅化合物、アルミニウム化合物及びルテニウム化合物を、蒸留水に溶解させて混合水溶液を得、この混合水溶液を、水酸化ナトリウム等のアルカリ化合物の水溶液中に徐々に滴下し、滴下終了後、５０〜１２０℃程度、好ましくは８０〜１１０℃に加熱し、攪拌し、その後、室温まで冷却し、沈殿物を濾過により回収し、蒸留水で洗浄し、好ましくは濾液のｐＨが７になるまで洗浄し、５０〜２００℃程度、好ましくは８０〜１５０℃で乾燥させることにより、得ることができる。
【０００９】
上記複合酸化物の原料として使用する試薬は特に限定されないが、例えば、塩化物、硝酸塩、硫酸塩及びこれらの水和物などを使用することができる。原料の仕込み量は、上記組成式（１）に示す組成比となるように調節することが必要である。
上記組成式（１）で表される複合酸化物は粉末状のものであり、通常はそのまま触媒として使用し、反応終了後に濾過操作により濾別することができる。また、濾過性や触媒活性を改善するために、シリカ、アルミナ、ゼオライト等の各種担体に上記複合酸化物を担持させたり、バインダーを用いて上記複合酸化物を成型し、固定床反応様式で用いることもできる。さらに、上記組成式（１）に示す組成以外の添加物を、本発明の効果を損なわない範囲で添加してもよい。このような添加物としては、例えば、周期律表第４族（Ｔｉ，Ｚｒ等）類、第１３族（Ｂ等）類、第１４族（Ｃ，Ｓｉ等）類、アルカリ金属類及びアルカリ土類金属類などが挙げられる。
【００１０】
本発明のアルデヒド又はケトンの製造方法では、原料のアルコールとして、一級アルコール又は二級アルコールが好適に使用され、飽和脂肪族、不飽和脂肪族、脂環式、芳香族などの炭素骨格を有するものを用いることができる。また、分岐構造やヘテロ原子を有していてもよい。
飽和脂肪族の一級又は二級アルコールとしては、エタノール、プロパノール類、ブタノール類、ペンタノール類、ヘキサノール類、ヘプタノール類、オクタノール類、ノナノール類、デカノール類、ウンデカノール類、ドデカノール類、トリデカノール類、テトラデカノール類、ペンタデカノール類、ヘプタデカノール類、オクタデカノール類、ノナデカノール類、エイコサノール類等が挙げられる。不飽和脂肪族アルコールや芳香族アルコールとしては、アリルアルコール、シンナムアルコール、２−ヘキセノール、ベンジルアルコール、α−メチルベンジルアルコール等が挙げられる。脂環式アルコールとしては、シクロペンタノール、シクロヘキサノール、ボルネオール、ノルボルネオール、アダマンタノール等が挙げられる。一般に、一級アルコールの酸化によりアルデヒドが得られ、二級アルコールの酸化によりケトンが得られる。
【００１１】
本発明における酸化反応は、原料アルコールを溶解させた有機溶媒中に触媒を懸濁させ、分子状酸素を含むガスの共存下に加熱攪拌することによって行うことができる。酸素は種々のガスで希釈されていてもよく、酸素が希釈された酸素含有ガスとして、例えば空気（酸素濃度約２１容量％、窒素濃度約７９容量％）を用いることができる。酸素含有ガスは、反応中に吹き込んでもよく、また攪拌により、酸素含有ガスが気相から液相に拡散するようにしてもよい。原料のアルコールが液体の場合は、無溶媒で酸化反応を行うこともできる。溶媒を使用する場合は、原料アルコールが均一に溶解し、かつ酸化に対して安定な、ベンゼン、トルエン、トリフルオロトルエン等の芳香族系溶媒が好ましい。
反応温度は０〜２００℃、好ましくは１０〜１５０℃、さらに好ましくは２０〜１００℃である。反応温度が低すぎると反応に時間がかかりすぎ、また、反応温度が高すぎると、分解や重質化などのような副反応が起こりやすくなる。原料アルコールに対する触媒の量は、所望の反応時間となるように調節すればよいが、好ましくは原料アルコール１質量部に対して、触媒０．０５〜１質量部、さらに好ましくは０．１〜０．８質量部である。反応圧力は大気圧とすることができるが、１ＭＰａ以下程度にやや加圧してもよい。
アルコールの酸化反応はほとんど定量的に進行するので、反応終了後は濾過操作によって触媒を分離し、蒸留等によって生成物を回収することができる。また、成型した触媒を固定床反応器に充填して反応を行うことで、連続的に酸化反応を行うこともできる。
本発明の触媒を用いると、上述したようにアルコールを温和な条件で酸化することができ、対応するアルデヒド又はケトンを高選択的に効率よく製造することができる。
【実施例】
【００１２】
次に、本発明を実施例によりさらに詳細に説明するが、本発明はこれらの例によってなんら限定されるものではない。
実施例１
塩化鉄（ＦｅＣｌ3 ）２．４４３ｇ、硝酸銅３水和物［Ｃｕ（ＮＯ3)2 ・３Ｈ2 Ｏ］０．３６２ｇ、硝酸アルミニウム９水和物［Ａｌ（ＮＯ3)3 ・９Ｈ2 Ｏ］５．６２７ｇ及び塩化ルテニウム（ＲｕＣｌ3 ）０．７２６ｇを、蒸留水５０ミリリットルに溶解させ、混合水溶液を得た。水酸化ナトリウム６．２１ｇを蒸留水４０ミリリットルに溶解させ、内容積１００ミリリットルのセパラブルフラスコに入れて、室温で攪拌しながら、上記混合水溶液を徐々に滴下した。
滴下終了後、セパラブルフラスコを油浴で９５℃に加熱し、２時間攪拌した。その後、フラスコを室温まで冷却し、沈殿物を濾過により回収した。濾別した黒色沈殿物を濾液のｐＨが７になるまで蒸留水で洗浄した。洗浄された沈殿を空気雰囲気下、１１０℃で一晩乾燥させた。乾燥後の沈殿物（黒色粉末）の量は１．９７ｇであり、ＩＣＰ発光分光分析計で分析したところ、Ｒｕ0.35Ｃｕ0.15Ｆｅ1.5 Ａｌ1.5 Ｏx の組成であった。
上記で調製したＲｕ含有黒色粉末を触媒として、２−アダマンタノールの酸化反応を行った。内容積１００ミリリットルの３つ口フラスコに、触媒０．３ｇ、２−アダマンタノール１．０ｇ、溶媒としてトルエン５０ミリリットルを仕込み、空気を１０ミリリットル／ｍｉｎで仕込みながら、６０℃で３時間反応を行った。反応終了後、孔径０．１μｍのメンブレンフィルターを用いて触媒を濾別し、生成液をガスクロマトグラフィーで分析したところ、２−アダマンタノールの転化率は１００％であり、２−アダマンタノンが９９％の収率で生成していた。また、生成液中の金属分をＩＣＰ（誘導結合プラズマ）分析器で測定したところ、Ｒｕ、Ｃｕ、Ｆｅ、Ａｌともに検出されず、これらの含有量は１質量ｐｐｍ以下であることがわかった。
【００１３】
比較例１
塩化鉄（ＦｅＣｌ3 ）３．０００ｇ、硝酸銅３水和物（Ｃｕ（ＮＯ3)2 ３Ｈ2 Ｏ）０．３６２ｇ及び硝酸アルミニウム９水和物［Ａｌ（ＮＯ3)3 ・９Ｈ2 Ｏ］５．６２７ｇを用い、塩化ルテニウム（ＲｕＣｌ3 ）を用いない以外は、実施例１と同様にして、Ｒｕを含まない複合酸化物を調製した（組成：Ｃｕ0.15Ｆｅ1.85Ａｌ1.5 Ｏx ）。この複合酸化物０．３ｇと、２−アダマンタノール１．０ｇ及びトルエン５０ミリリットルを仕込み、実施例１と同様にして反応を行った。触媒を濾別した後、生成液をガスクロマトグラフィーで分析したところ、２−アダマンタノールは未反応であった。
【００１４】
実施例２〜５
実施例１で調製した触媒（Ｒｕ0.35Ｃｕ0.15Ｆｅ1.5 Ａｌ1.5 Ｏx ）を用い、各種アルコールの酸化反応を行った。触媒０．１ｇ、各種アルコール１ミリモル及びトルエン（溶媒）３ミリリットルを、内容積１０ミリリットルのガラス製反応容器に仕込み、空気雰囲気下、反応温度６０℃で磁気攪拌子により攪拌して反応を行った。反応後の生成液をガスクロマトグラフィーで分析した。結果を表１に示す。表１に示す結果から、温和な条件で効率よく各種アルコールの酸化が行われ、対応するアルデヒド又はケトンが合成されたことがわかる。
【００１５】
【表１】
2005087861.tif 000002